(57)【要約】      （修正有）【課題】チャンネル切換後に少ない待ち時間でビデオを表示可能なデジタルテレビ受信端末装置を提供する。【解決手段】第１−第３受信部１０２ａ−１０２ｃは、デジタルテレビ放送信号を受信し、特定チャンネルの放送ストリームを取得する。第１−第３ＴＳデコーダ１０５ａ−１０５ｃは、第１−第３受信部の受信放送ストリームからビデオストリームを抽出する。第１−第３ビデオバッファ１０７ａ−１０７ｃは、第１−第３ＴＳデコーダからのビデオストリームを、ビデオデコーダ１１１の処理に必要なデコード開始フレームを含むよう保持する。受信制御部１０３が、出力すべきチャンネルの放送ストリームを選択すると、ビデオスイッチ１０８は、選択チャンネルに対応するビデオバッファを選択する。ビデオデコーダ１１１は、入力ビデオストリームをデコードして出力する。【選択図】図１
2006345169.tif 000002
【特許請求の範囲】
【請求項１】
デジタルテレビ放送信号を受信するデジタルテレビ受信端末装置であって、
少なくとも前記デジタルテレビ放送信号を受信し、特定チャンネルの放送ストリームを取得するＮ（Ｎ≧２）個の受信手段と、
前記Ｎ個の受信手段のいずれかの後段に設けられ、前段の受信手段により受信された放送ストリームからビデオストリームを抽出するＮ個のストリーム分離手段と、
前記Ｎ個のストリーム分離手段のいずれかの後段に設けられ、前段のストリーム分離手段により抽出されたビデオストリームを保持するＮ個のビデオストリーム保持手段と、
前記Ｎ個の受信手段により受信されたＮ個の放送ストリームから、出力すべきチャンネルのものを選択するチャンネル選択手段と、
前記Ｎ個のビデオストリーム保持手段の出力から、前記チャンネル選択手段の出力に基づき、いずれかを選択するビデオストリーム選択手段と、
前記ビデオストリーム選択手段により選択されたビデオストリームをデコードして出力するビデオデコード手段とを備え、
前記Ｎ個のビデオストリーム保持手段は、前記ビデオデコード手段によるデコード処理を開始するために必要なデコード開始フレームを含むビデオストリームを保持する、デジタルテレビ受信端末装置。
【請求項２】
前記ビデオストリーム保持手段におけるビデオストリームの保持状況に応じて、前記ビデオデコード手段は、前記ビデオストリーム保持手段に現在保持されているビデオストリームを用いてデコードを開始するか、次のデコード開始フレームを受信後にデコードを開始するかを選択する、請求項１に記載のデジタルテレビ受信端末装置。
【請求項３】
前記ビデオデコード手段は、前記ビデオストリーム保持手段に現在保持されているビデオストリームをデコードするが出力しない、請求項２に記載のデジタルテレビ受信端末装置。
【請求項４】
前記ビデオデコード手段は、前記ビデオストリーム保持手段に現在保持されているビデオストリームをデコードするときは、所定の速度よりも高速にデコードおよび出力を行う、請求項２に記載のデジタルテレビ受信端末装置。
【請求項５】
前記ビデオストリーム保持手段は、デコード開始可能フレームのみを保持し、
前記ビデオデコード手段は、出力すべきチャンネルを前記チャンネル選択手段が変更した後、次のデコード開始フレームを受信するまでは、前記ビデオストリーム保持手段に保持されているデコード開始可能フレームをデコードして出力する、請求項１に記載のデジタルテレビ受信端末装置。
【請求項６】
前記デジタルテレビ受信端末装置はさらに、
各前記受信手段により受信されたＮ個の放送ストリームから、録画すべきチャンネルのものを選択する録画チャンネル選択手段と、
前記録画チャンネル選択手段の出力に基づき、前記Ｎ個の受信手段により受信された放送ストリームのいずれかを選択する放送ストリーム選択手段と、
前記放送ストリーム選択手段により選択された放送ストリームを記録媒体に記録する記録手段とを備える、請求項１に記載のデジタルテレビ受信端末装置。
【請求項７】
デジタルテレビ放送信号を受信するデジタルテレビ受信端末装置であって、
少なくとも前記デジタルテレビ放送信号を受信し、特定チャンネルの放送ストリームを取得するＮ（Ｎ≧２）個の受信手段と、
前記Ｎ個の受信手段のいずれかの後段に設けられ、前段の受信手段により受信された放送ストリームからビデオストリームを抽出するＮ個のストリーム分離手段と、
前記Ｎ個のストリーム分離手段のうち、（Ｎ−１）個のものの後段に設けられ、前段のストリーム分離手段により抽出されたビデオストリームを保持する（Ｎ−１）個のビデオストリーム保持手段と、
前記Ｎ個の受信手段により受信されたＮ個の放送ストリームから、出力すべきチャンネルのものを選択するチャンネル選択手段と、
前記Ｎ個のビデオストリーム保持手段の出力から、前記チャンネル選択手段の出力に基づき、いずれかを選択するビデオストリーム選択手段と、
前記ビデオストリーム選択手段により選択されたビデオストリームをデコードして出力するビデオデコード手段とを備え、
前記（Ｎ−１）個のビデオストリーム保持手段は、前記ビデオデコード手段によるデコード処理を開始するために必要なデコード開始フレームを含むビデオストリームを保持する、デジタルテレビ受信端末装置。
【請求項８】
デジタルテレビ放送信号を受信するデジタルテレビ受信端末装置であって、
少なくとも前記デジタルテレビ放送信号を受信し、特定チャンネルの放送ストリームを取得するＮ（Ｎ≧２）個の受信手段と、
前記Ｎ個の受信手段のいずれかの後段に設けられ、前段の受信手段により受信された放送ストリームから、ビデオストリームおよびオーディオストリームを抽出するＮ個のストリーム分離手段と、
前記Ｎ個のストリーム分離手段のいずれかの後段に設けられ、前段のストリーム分離手段により抽出されたビデオストリームを保持するＮ個のビデオストリーム保持手段と、
前記Ｎ個のストリーム分離手段のいずれかの後段に設けられ、前段のストリーム分離手段により抽出されたオーディオストリームを、対応するビデオストリームと同期するように保持するＮ個のオーディオストリーム保持手段と、
前記Ｎ個の受信手段により受信されたＮ個の放送ストリームから、出力すべきチャンネルのものを選択するチャンネル選択手段と、
前記Ｎ個のビデオストリーム保持手段の出力からいずれかを、前記チャンネル選択手段の出力に基づき選択するビデオストリーム選択手段と、
前記Ｎ個のオーディオストリーム保持手段の出力からいずれかを、前記チャンネル選択手段の出力に基づき選択するオーディオストリーム選択手段と、
前記ビデオストリーム選択手段により選択されたビデオストリームをデコードして出力するビデオデコード手段と、
前記オーディオストリーム選択手段により選択されたオーディオストリームをデコードして出力するオーディオデコード手段とを備え、
前記Ｎ個のビデオストリーム保持手段は、前記ビデオデコード手段によるデコード処理を開始するために必要なデコード開始フレームを含むビデオストリームを保持し、
前記デジタルテレビ受信端末装置はさらに、各前記ビデオストリーム保持手段におけるビデオストリームの保持状況を検出しており、出力すべきチャンネルを前記チャンネル選択手段が変更したとき、当該チャンネルのビデオストリームの保持状況を、前記ビデオデコード手段および前記オーディオデコード手段に供給する状況検出手段とを備え、
前記ビデオデコード手段および前記オーディオデコード手段は、前記状況検出手段から供給された保持状況に基づくタイミングで、前記ビデオストリーム選択手段および前記オーディオストリーム選択手段により選択されたビデオストリームおよびオーディオストリームをデコードして出力する、デジタルテレビ受信端末装置。
【請求項９】
デジタルテレビ放送信号を受信するデジタルテレビ受信端末装置であって、
少なくとも前記デジタルテレビ放送信号を受信し、特定チャンネルの放送ストリームを取得するＮ（Ｎ≧２）個の受信手段と、
前記Ｎ個の受信手段により受信されたＮ個の放送ストリームから、出力すべきチャンネルのものを選択するチャンネル選択手段と、
受信可能なチャンネルと、各チャンネル間の隣接関係とを示すチャンネルリストを管理するチャンネルリスト管理手段とを備え、
前記Ｎ個の受信手段は、
前記チャンネルリスト管理手段により管理されるチャンネルリストに基づいて、前記チャンネル選択手段により選択されたチャンネルと、選択されたチャンネルと隣接関係にあるチャンネルのＮ個の放送ストリームを取得し、
出力すべきチャンネルを前記チャンネル選択手段が変更したとき、今回選択されたチャンネルと、今回選択されたチャンネルと隣接関係にあるチャンネルのＮ個の放送ストリームを取得する、デジタルテレビ受信端末装置。
【請求項１０】
前記チャンネルリストが一次元的リスト構造である場合、Ｎ＝３であり、
前記チャンネルリストが二次元的リスト構造である場合、Ｎ＝５である、請求項９に記載のデジタルテレビ受信端末装置。
【発明の詳細な説明】
【技術分野】
【０００１】
本発明は、デジタルテレビ信号を受信するテレビ受信端末装置における選局手法に関する。
【背景技術】
【０００２】
デジタルテレビ放送は、２０００年１２月に放送開始されたＢＳデジタルテレビ放送を皮切りに、２００３年１２月には地上波デジタルテレビ放送開始で本格化した。デジタルテレビ放送は、映像、音声の高品質化のほかに、多チャンネル化への対応、データ放送の提供を特徴としている。また、地上波デジタルテレビ放送では、１個のチャンネルの中に、従来のテレビ受像機をはじめとする固定受信端末向けの高品質画像と、携帯受信端末向けの簡易画像とを並列に送信することが可能であり、今後携帯受信端末によるテレビ視聴の需要がますます高くなると予想される。
【０００３】
日本におけるデジタル放送については、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ；電波産業会）が規格化を行っている。ＡＲＩＢでは規格に基づいた運用規定を技術資料（Ｔｅｃｈｎｉｃａｌ  Ｒｅｐｏｒｔ）の形でまとめている。地上波デジタルテレビ放送の運用規定についてはＡＲＩＢ  ＴＲ−Ｂ１４に記載されている。
【０００４】
図１７は、一般的なデジタル放送受信端末装置のブロック図である。図１７において、デジタル放送受信端末装置は、アンテナ１５０１、受信部１５０２、選局するチャンネル（周波数）を指示する受信制御部１５０３、ＴＳデコーダ１５０４、ＳＴＣ生成部１５０５、ビデオデコーダ１５０６、オーディオデコーダ１５０７、ビデオ出力部１５０８（典型的にはモニタ）、およびオーディオ出力部１５０９（典型的にはスピーカ）を備えている。
【０００５】
アンテナ１５０１を介して受信したデジタル放送波に対し、受信部１５０２は、受信制御部１５０３で指定されたチャンネルに対応するトランスポートストリームを抽出する。ＴＳデコーダ１５０４は、上記トランスポートストリームから、ＰＣＲ（Ｐｒｏｇｒａｍ  Ｃｌｏｃｋ  Ｒｅｆｅｒｅｎｃｅ；エンコード時の基準時刻をデコード側で再現するための情報）を抽出し、さらに少なくともビデオストリームおよびオーディオストリームを分離する。なお、デジタル放送ではほかにデータ放送のストリーム等も多重化されている場合があるが、ここでは省略する。
【０００６】
ＳＴＣ生成部１５０５は、ＴＳデコーダ１５０４から供給されるＰＣＲからＳＴＣ（Ｓｙｓｔｅｍ  Ｔｉｍｅ  Ｃｌｏｃｋ；基準時刻）を生成し、ビデオデコーダ１５０６およびオーディオデコーダ１５０７に供給する。
【０００７】
ビデオデコーダ１５０６は、ＳＴＣ生成部１５０５から供給されるＳＴＣを参照して、ＴＳデコーダ１５０４で分離されたビデオストリームに含まれている再生時刻情報（ＰＴＳ；Ｐｒｅｓｅｎｔａｔｉｏｎ  Ｔｉｍｅ  Ｓｔａｍｐ等）のタイミングでビデオストリームをデコードしてビデオデータを取得し、ビデオ出力部１５０８に供給する。その結果、ビデオがビデオ出力部１５０８を介して出力される。
【０００８】
同様にオーディオデコーダ１５０７は、ＳＴＣを参照してＴＳデコーダ１５０４で分離されたオーディオストリームに含まれている再生時刻情報のタイミングでオーディオストリームをデコードしてオーディオデータを取得し、オーディオ出力部１５０９に供給する。その結果、オーディオがオーディオ出力部１５０９を介して出力される。
【０００９】
また、外部（ユーザー）から選局要求がなされたとき、受信制御部１５０３は、ＴＳデコーダ１５０４、ビデオデコーダ１５０６およびオーディオデコーダ１５０７にリセットを行うよう指示する。その後、受信制御部１５０３は、選局後のチャンネルに対応するトランスポートストリームを抽出するよう受信部１５０２に指示する。受信部１５０２は上記トランスポートストリームをＴＳデコーダ１５０４に供給し、続いてビデオデコード、オーディオデコードを行うことで、選局動作が終了する。
【００１０】
また、図１８は、デジタル放送におけるビデオストリームの構成の一例について説明した図である。デジタル放送のビデオデータを圧縮してストリームにするとき、圧縮後のビデオデータは、通常フレーム単位でＩフレームとＰフレームとに分類される。Ｉフレームとは他のフレームのデータを参照することなく圧縮されるフレームのことであり、当該フレームのストリームのみで復元可能である。一方Ｐフレームとは前のフレームとの差分を取って圧縮されるフレームのことであり、前のフレームのビデオデータがデコードされない限り復元不可である。
【００１１】
ビデオデータは通常隣り合うフレームの相関が高いため、各フレームを個々に圧縮するよりも、直前のフレームとの差分を圧縮するほうが、圧縮後の情報量が少なくてすむ。デジタルテレビ放送のビデオストリームでは、通常０．５〜数秒に１回の割合でＩフレームを挿入し、他はＰフレームとすることが一般的である。このような圧縮形態とすることで、ビデオストリームをＩフレームのみで構成するよりもはるかに圧縮率を高くすることができる（例えば、非特許文献１および非特許文献２を参照）。
【００１２】
なお、デジタル放送において、固定受信端末向けの放送にはＭＰＥＧ２、携帯受信端末向けの放送にはＨ．２６４と、異なるビデオ圧縮フォーマットが使用される。しかしながら、両圧縮フォーマットにおいて、用語は微妙に異なるものの、上で説明したＩフレーム、Ｐフレームに相当する概念は共通しており、簡便のため、以下の説明においてはＩフレーム、Ｐフレームという用語を使用する。
【００１３】
図１８の例では、フレーム１（Ｉ１）はＩフレームであり、他のフレームのデータを参照することなくエンコードして生成される。またフレーム２（Ｐ２）はＰフレームであり、通常直前のフレーム（この場合はフレーム１）との差分をエンコードして生成される。同様にフレーム３はフレーム２との差分をエンコードして生成される。
【００１４】
逆にフレーム３をデコードするためには、直前のフレーム２がデコード済みであることが必要であり、同様にフレーム２についても直前のフレーム１がデコード済みであることが必要である。一方Ｉフレームであるフレーム１は、他のフレームに無関係にデコードできる。
このように、デジタルテレビ放送のビデオストリームをデコードして正しいビデオデータを取得するためには、Ｉフレームから順次デコードを行う必要がある。
【非特許文献１】「アイエスオー／アイーシー  １３８１８−２，１９９６  インターナショナル  スタンダード  エムピーイージー−２  ビデオ（ＩＳＯ／ＩＥＣ  １３８１８−２，１９９６  Ｉｎｔｅｒｎａｔｉｏｎａｌ  Ｓｔａｎｄａｒｄ  ＭＰＥＧ−２  Ｖｉｄｅｏ）」
【非特許文献２】「アイエスオー／アイイーシー  １４４９６−１０  エムピーイージー−４  パート１０  アドバンスド  ビデオコーディング／アイティーユー  アールイーシー．  エイチ．２６４（ＩＳＯ／ＩＥＣ  １４４９６−１０  ＭＰＥＧ−４  Ｐａｒｔ１０  Ａｄｖａｎｃｅｄ  Ｖｉｄｅｏ  Ｃｏｄｉｎｇ／ＩＴＵ−Ｔ  Ｒｅｃ．  Ｈ．２６４）」
【発明の開示】
【発明が解決しようとする課題】
【００１５】
しかしながら、図１７を用いて説明したデジタルテレビ受信端末装置では、選局時に、以下の課題を有する。
【００１６】
上述したように、デコードを開始できるＩフレームは、０．５〜数秒に１回の割合にしか挿入されない。従って、ユーザーが選局動作を行ったとき、選局のタイミングによっては次のＩフレームを受信するまでデコードできず、視聴開始を待たされることになる可能性がある。
【００１７】
例えば、携帯端末向け地上波デジタル放送（一般に地上波１セグ放送と呼ばれる）の規格においては、Ｉフレームの間隔は最長５秒となっている。
【００１８】
従って、選局タイミングが、選局後のチャンネルのＩフレーム受信直後であった場合、次のＩフレームを受信するまで最長約５秒間デコードを開始することができない。言い換えると、ユーザーがチャンネルを切換えた後、最長約５秒間待たないと所望のビデオデータが表示されないため、はなはだ使い勝手が悪い。
【００１９】
チャンネル切換後のビデオ表示待ち時間を短縮する方法の一例が、特開平１０−１９０６１７号公報に公開されている。しかし、この方法では、１つの周波数に対応するトランスポートストリーム内に複数のチャンネルが多重されている場合のチャンネル切換には適用できるが、異なる周波数のトランスポートストリーム同士のチャンネル切換には適用できない。
【００２０】
それ故に、本発明は、チャンネル切換後により少ない待ち時間でビデオを表示可能なデジタルテレビ受信端末装置を提供することを目的とする。
【課題を解決するための手段】
【００２１】
上記目的を達成するために、本発明の第１の局面は、デジタルテレビ放送信号を受信するデジタルテレビ受信端末装置であって、少なくともデジタルテレビ放送信号を受信し、特定チャンネルの放送ストリームを取得するＮ（Ｎ≧２）個の受信手段と、Ｎ個の受信手段のいずれかの後段に設けられ、前段の受信手段により受信された放送ストリームからビデオストリームを抽出するＮ個のストリーム分離手段と、Ｎ個のストリーム分離手段のいずれかの後段に設けられ、前段のストリーム分離手段により抽出されたビデオストリームを保持するＮ個のビデオストリーム保持手段と、Ｎ個の受信手段により受信されたＮ個の放送ストリームから、出力すべきチャンネルのものを選択するチャンネル選択手段と、Ｎ個のビデオストリーム保持手段の出力から、チャンネル選択手段の出力に基づき、いずれかを選択するビデオストリーム選択手段と、ビデオストリーム選択手段により選択されたビデオストリームをデコードして出力するビデオデコード手段とを備える。ここで、Ｎ個のビデオストリーム保持手段は、ビデオデコード手段によるデコード処理を開始するために必要なデコード開始フレームを含むビデオストリームを保持する。
【００２２】
また、ビデオデコード手段は、ビデオストリーム保持手段に現在保持されているビデオストリームをデコードするときは、所定の速度よりも高速にデコードおよび出力を行う。
【００２３】
また、ビデオストリーム保持手段は、デコード開始可能フレームのみを保持する。この場合、ビデオデコード手段は、出力すべきチャンネルをチャンネル選択手段が変更した後、次のデコード開始フレームを受信するまでは、ビデオストリーム保持手段に保持されているデコード開始可能フレームをデコードして出力する。
【００２４】
また、第２の局面は、デジタルテレビ放送信号を受信するデジタルテレビ受信端末装置であって、少なくともデジタルテレビ放送信号を受信し、特定チャンネルの放送ストリームを取得するＮ（Ｎ≧２）個の受信手段と、Ｎ個の受信手段のいずれかの後段に設けられ、前段の受信手段により受信された放送ストリームからビデオストリームを抽出するＮ個のストリーム分離手段と、Ｎ個のストリーム分離手段のうち、（Ｎ−１）個のものの後段に設けられ、前段のストリーム分離手段により抽出されたビデオストリームを保持する（Ｎ−１）個のビデオストリーム保持手段と、Ｎ個の受信手段により受信されたＮ個の放送ストリームから、出力すべきチャンネルのものを選択するチャンネル選択手段と、Ｎ個のビデオストリーム保持手段の出力から、チャンネル選択手段の出力に基づき、いずれかを選択するビデオストリーム選択手段と、ビデオストリーム選択手段により選択されたビデオストリームをデコードして出力するビデオデコード手段とを備える。ここで、（Ｎ−１）個のビデオストリーム保持手段は、ビデオデコード手段によるデコード処理を開始するために必要なデコード開始フレームを含むビデオストリームを保持する。
【００２５】
また、第３の局面は、デジタルテレビ放送信号を受信するデジタルテレビ受信端末装置であって、少なくともデジタルテレビ放送信号を受信し、特定チャンネルの放送ストリームを取得するＮ（Ｎ≧２）個の受信手段と、Ｎ個の受信手段のいずれかの後段に設けられ、前段の受信手段により受信された放送ストリームから、ビデオストリームおよびオーディオストリームを抽出するＮ個のストリーム分離手段と、Ｎ個のストリーム分離手段のいずれかの後段に設けられ、前段のストリーム分離手段により抽出されたビデオストリームを保持するＮ個のビデオストリーム保持手段と、Ｎ個のストリーム分離手段のいずれかの後段に設けられ、前段のストリーム分離手段により抽出されたオーディオストリームを、対応するビデオストリームと同期するように保持するＮ個のオーディオストリーム保持手段と、Ｎ個の受信手段により受信されたＮ個の放送ストリームから、出力すべきチャンネルのものを選択するチャンネル選択手段と、Ｎ個のビデオストリーム保持手段の出力からいずれかを、チャンネル選択手段の出力に基づき選択するビデオストリーム選択手段と、Ｎ個のオーディオストリーム保持手段の出力からいずれかを、チャンネル選択手段の出力に基づき選択するオーディオストリーム選択手段と、ビデオストリーム選択手段により選択されたビデオストリームをデコードして出力するビデオデコード手段と、オーディオストリーム選択手段により選択されたオーディオストリームをデコードして出力するオーディオデコード手段とを備える。ここで、Ｎ個のビデオストリーム保持手段は、ビデオデコード手段によるデコード処理を開始するために必要なデコード開始フレームを含むビデオストリームを保持し、デジタルテレビ受信端末装置はさらに、各ビデオストリーム保持手段におけるビデオストリームの保持状況を検出しており、出力すべきチャンネルをチャンネル選択手段が変更したとき、当該チャンネルのビデオストリームの保持状況を、ビデオデコード手段およびオーディオデコード手段に供給する状況検出手段とを備える。また、ビデオデコード手段およびオーディオデコード手段は、状況検出手段から供給された保持状況に基づくタイミングで、ビデオストリーム選択手段およびオーディオストリーム選択手段により選択されたビデオストリームおよびオーディオストリームをデコードして出力する。
【００２６】
また、第４の局面は、デジタルテレビ放送信号を受信するデジタルテレビ受信端末装置であって、少なくともデジタルテレビ放送信号を受信し、特定チャンネルの放送ストリームを取得するＮ（Ｎ≧２）個の受信手段と、Ｎ個の受信手段により受信されたＮ個の放送ストリームから、出力すべきチャンネルのものを選択するチャンネル選択手段と、受信可能なチャンネルと、各チャンネル間の隣接関係とを示すチャンネルリストを管理するチャンネルリスト管理手段とを備える。Ｎ個の受信手段は、チャンネルリスト管理手段により管理されるチャンネルリストに基づいて、チャンネル選択手段により選択されたチャンネルと、選択されたチャンネルと隣接関係にあるチャンネルのＮ個の放送ストリームを取得し、出力すべきチャンネルをチャンネル選択手段が変更したとき、今回選択されたチャンネルと、今回選択されたチャンネルと隣接関係にあるチャンネルのＮ個の放送ストリームを取得する。
【００２７】
チャンネルリストが一次元的リスト構造である場合、Ｎ＝３であり、また、チャンネルリストが二次元的リスト構造である場合、Ｎ＝５である。
【発明の効果】
【００２８】
上記第１−第３の局面によれば、Ｎ個のビデオストリーム保持手段には、視聴対象の分だけでなく、視聴対象外のチャンネルについてもビデオストリームが、デコード開始フレームを含むようにバッファリングされる。従って、チャンネル選択手段によりチャンネルが切換えられたとしても、ビデオデコード手段は、視聴対象外のチャンネルであってかつデコード処理可能な状態のビデオストリームを取得することができる。このようなビデオストリームを使用して、ビデオデコード手段はデコードおよび表示を行うことで、チャンネル切換後ビデオ表示を開始するまでの時間を短縮することができる。
【００２９】
また、第４の局面によれば、今回選択されたチャンネル（視聴対象チャンネル）および隣接チャネルの放送ストリームが受信されるので、チャンネル切換後ビデオ表示を開始するまでの時間を短縮することができる。
【００３０】
また、第１−第４の局面によれば、少なくとも２個の受信手段のそれぞれにより、放送ストリームを受信することが可能であるため、異なる周波数のトランスポートストリーム同士のチャンネル切換であっても、ビデオ表示の開始を従来よりも短縮することができる。
【発明を実施するための最良の形態】
【００３１】
以下に本発明の実施形態について図面を用いて説明する。なお、以下の各実施形態において、以前に説明した符号の説明は省略する。
【００３２】
（第１の実施形態）
図１は、本発明の第１の実施形態に係るデジタルテレビ受信端末装置の機能的なブロック図である。図１において、アンテナ１０１、第１受信部１０２ａ、第２受信部１０２ｂ、第３受信部１０２ｃ、受信制御部１０３、入力切換管理部１０４、第１ＴＳデコーダ１０５ａ、第２ＴＳデコーダ１０５ｂ、第３ＴＳデコーダ１０５ｃ、ＰＣＲスイッチ１０６、第１ビデオバッファ１０７ａ、第２ビデオバッファ１０７ｂ、第３ビデオバッファ１０７ｃ、ビデオスイッチ１０８、オーディオスイッチ１０９、ＳＴＣ生成部１１０、ビデオデコーダ１１１、オーディオデコーダ１１２、ビデオ出力部１１３、およびオーディオ出力部１１４を備えている。
【００３３】
以下、上記構成のデジタルテレビ受信端末装置の動作について説明する。
【００３４】
アンテナ１０１を介して受信したデジタルテレビ放送波は、第１受信部１０２ａ、第２受信部１０２ｂおよび第３受信部１０２ｃにおいて、それぞれ受信制御部１０３で指定されたチャンネル（本実施形態では、好ましくは、多くとも、互いに異なる３チャンネル）に対応したトランスポートストリームが抽出される。このうちの１チャンネルは実際に視聴される視聴対象チャンネルである。以下説明の簡便のために、第１、第２および第３受信部１０２ａ、１０２ｂおよび１０２ｃで受信しているチャンネルをそれぞれチャンネルＡ、チャンネルＢおよびチャンネルＣとし、現在の視聴対象チャンネルをチャンネルＡとする。視聴対象チャンネルは、入力切換管理部１０４に供給される。
【００３５】
第１受信部１０２ａで受信したチャンネルＡに対応するトランスポートストリームからは、第１ＴＳデコーダ１０５ａにより、チャンネルＡのＰＣＲ（Ｐｒｏｇｒａｍ  Ｃｌｏｃｋ  Ｒｅｆｅｒｅｎｃｅ）が抽出され、ビデオストリームとオーディオストリームとが分離される。抽出されたチャンネルＡのＰＣＲはＰＣＲスイッチ１０６に供給される。
【００３６】
同様にチャンネルＢおよびＣに対応したトランスポートストリームからは、それぞれ第２ＴＳデコーダ１０５ｂおよび第３ＴＳデコーダ１０５ｃによりそれぞれのＰＣＲが抽出され、かつビデオストリームとオーディオストリームとが分離される。抽出されたＰＣＲは同様にＰＣＲスイッチ１０６に供給される。
【００３７】
各チャンネルのビデオストリームは、第１ビデオバッファ１０７ａ、第２ビデオバッファ１０７ｂおよび第３ビデオバッファ１０７ｃのそれぞれに所定の期間保持される。視聴対象外のチャンネル（この例ではチャンネルＢおよびＣ）については、Ｉフレームを先頭としてこれに続くＰフレームが順次蓄積され、蓄積されたものは少なくとも次のＩフレームを受信するまでは保持される。一方、視聴対象チャンネル（この例ではチャンネルＡ）について蓄積方法は特に制限されない。つまり、場合によっては、視聴対象チャネルのビデオストリームは保持されなくともよい。なお、フレームがＩフレームかＰフレームであるかの情報は、各フレームの先頭のヘッダに多重されているため、識別は容易である。
【００３８】
入力切換部１０４は、視聴対象チャンネルのＰＣＲ、ビデオストリームおよびオーディオストリームが選択されるよう、ＰＣＲスイッチ１０６、ビデオスイッチ１０８およびオーディオスイッチ１０９に指示する。いまチャンネルＡが視聴対象チャンネルであるので、第１ＴＳデコーダ１０５ａからチャンネルＡのＰＣＲがＳＴＣ生成部１１０に、第１ビデオバッファ１０７ａからチャンネルＡのビデオストリームがビデオデコーダ１１１に、また、第１ＴＳデコーダ１０５ａからチャンネルＡのオーディオストリームがオーディオデコーダ１１２にそれぞれ供給される。
【００３９】
ＳＴＣ生成部１１０は、供給されたチャンネルＡのＰＣＲからＳＴＣを生成して、ビデオデコーダ１１１およびオーディオデコーダ１１２に供給する。
【００４０】
ビデオデコーダ１１１は、ＳＴＣ生成部１１０から供給されるＳＴＣを参照して、ビデオストリームに含まれている再生時刻情報のタイミングでビデオストリームをデコードしてビデオデータを取得し、ビデオ出力部１１３に供給する。この結果、ビデオがビデオ出力部１１３を介して出力される。
【００４１】
同様にオーディオデコーダ１１２は、ＳＴＣ生成部１１０から供給されるＳＴＣを参照して、オーディオストリームに含まれている再生時刻情報のタイミングでオーディオストリームをデコードしてオーディオデータを取得し、オーディオ出力部１１４に供給する。この結果、オーディオデータがオーディオ出力部１１４を介して出力される。
【００４２】
次に外部からの選局要求により、視聴対象チャンネルがチャンネルＢとなったとき、受信制御部１０３は、視聴対象チャンネルとしてチャンネルＢを入力切換管理部１０４に通知する。
【００４３】
入力切換管理部１０４は、ＰＣＲスイッチ１０６に対し、第２ＴＳデコーダ１０５ｂから取得されるチャンネルＢのＰＣＲをＳＴＣ生成部１１０に供給する。ＳＴＣ生成部１１０は、チャンネルＢのＰＣＲを基準にＳＴＣを生成し、ビデオデコーダ１１１およびオーディオデコーダ１１２に供給する。
【００４４】
また、入力切換管理部１０４は、ビデオデコーダ１１１およびオーディオデコーダ１１２に対しリセットするよう指示する。リセット期間中、両デコーダ１１１および１１２はデコード処理を行わず、ビデオおよびオーディオは出力されない。また、リセット完了時には、チャンネルＢのＰＣＲを基準にしたＳＴＣで各デコーダが動作しているものとする。
【００４５】
ビデオデコーダ１１１は、リセットが完了すると完了通知を入力切換管理部１０４に送信する。上記完了通知を受信した後、入力切換管理部１０４はビデオスイッチ１０８に対し、第２ビデオバッファ１０７ｂから取得されるチャンネルＢのビデオストリームをビデオデコーダ１１１に供給するよう指示する。
【００４６】
同様にオーディオデコーダ１１２は、リセットが完了すると完了通知を入力切換管理部１０４に送信する。上記完了通知を受信した後、入力切換管理部１０４はオーディオスイッチ１０９に対し、第２ＴＳデコーダ１０５ｂから取得されるチャンネルＢのオーディオストリームをオーディオデコーダ１１２に供給するよう指示する。
【００４７】
第２ビデオバッファ１０７ｂには、チャンネル切換前に受信したＩフレームを先頭に、チャンネルＢのビデオストリームが保持されている。上記Ｉフレームから少なくともチャンネル切換時までに受信したフレームの再生時刻情報はすでに過去の時刻となっている。このように再生時刻情報がＳＴＣ（実時刻）と比較して遅れているフレームについては、ビデオデコーダ１１１は当該フレームのデコードを可能な限り高速で行い、かつビデオ出力部１１３には供給しない。昨今のビデオデコーダは、ビデオのフレームレート（一般的に毎秒１５フレームもしくは３０フレーム）より高速にデコードが可能であるため、いずれは再生時刻情報がＳＴＣに追いつく。再生時刻情報がＳＴＣに追いつくか追い越したとき、ビデオデコーダ１１１はデコードしたビデオデータをビデオ表示部１１３に供給しビデオ表示を行う。また、以後のビデオデコードはＳＴＣを参照しながらフレームレートに合わせて行う。
【００４８】
一方オーディオストリームについては、ストリームの任意の位置から再生することが可能であるため、特定のストリームを保持するためのバッファリング行う必要がない。よって選局要求に伴うオーディオデコーダ１１２のリセットが完了すれば、直ちにチャンネルＢのオーディオを再生することができる。
【００４９】
チャンネル切換後、チャンネルＡのビデオストリームは、チャンネルＣと同様に第１ビデオバッファ１０７ａにＩフレームを含むようにして保持される。
【００５０】
図２は、選局要求直後のビデオデコーダ１１１の動作について説明した図である。いま、フレームレートを毎秒１５フレームとし、Ｉフレームが５秒間隔で挿入されたビデオストリームを考える。なお簡単のため、ビデオデコーダ１１１は最大フレームレートの２倍の速度でデコードできるものとし、チャンネル切換時のビデオデコーダのリセットに要する時間を１フレーム期間と仮定する。
【００５１】
図２において、第２受信部１０２ｂがＩフレームであるフレーム０を受信すると、当該フレームは第２ビデオバッファ１０５ｂに蓄積される。以後続いて受信するＰフレーム（フレーム１、２、…）も第２ビデオバッファ１０５ｂに蓄積される。
【００５２】
いまフレーム１を受信直後に、チャンネルＢへの選局要求があったとき、ビデオデコーダ１１１はリセットされ、さらに新しいビデオストリームのデコード準備を行う。デコーダリセット完了後、第２ビデオバッファ１０５ｂからＩフレームであるフレーム０を先頭に順次ビデオストリームがビデオデコーダ１１１に供給される。ビデオデコーダ１１１に供給されたフレームの再生時刻情報がＳＴＣと比較して過去のものとなっている場合、当該フレームは表示しないので、フレームレートとは関係なく、ビデオデコーダ１１１の最大デコード速度にてデコード行う。
【００５３】
この例では、Ｉフレームであるフレーム０を受信後、３フレーム期間後にデコードを開始できるので、ビデオデコーダがフレームレートの２倍の速度でデコードできるとするとデコードされたビデオデータが実時刻に追いつくのはフレーム５のデコード後である。従ってフレーム０から５はデコードのみを行って表示は行わないが、フレーム６以降はデコードおよび表示を行う。
【００５４】
Ｉフレームの間隔が５秒、さらにフレームレートが毎秒１５フレームであるので、選局要求後に受信するＩフレームはフレーム７５となる。従って従来の構成では、選局要求後フレーム７５を受信するまで７３フレーム期間（約４．９秒）ビデオ表示ができない。これに対し本実施形態では、選局要求後４フレーム期間（約０．３秒）後には選局後のビデオを表示することが可能である。従って選局後ビデオ表示が再開されるまでに待ち時間が大幅に短縮できる。
【００５５】
一方、図３のようにフレーム７２受信後に選局要求があったとき、上記アルゴリズムに従うと、再生時刻情報がＳＴＣに追いつくのはフレーム１４６のデコード後となる。しかしながら選局要求後３フレーム期間待機すれば、Ｉフレームであるフレーム７５を受信し、表示を開始することができる。このように、再生時刻情報がＳＴＣに追いつく時刻が、次のＩフレームを受信する時刻よりも先になる場合は、上記アルゴリズムを適用することは望ましくない。
【００５６】
一般に、Ｉフレームの間隔をＴ、選局要求がなされた時刻と直前にＩフレームを受信した時刻の時間差をｘ、ビデオデコーダのリセットに要する時間をｙ、フレームレートに対するビデオデコーダのデコード速度比をｒとすると、Ｉフレームを受信してから再生時刻情報がＳＴＣに追いつくまでの時間ｔは、次式（１）で表される。
【００５７】
ｔ＝ｒ・（ｘ＋ｙ）／（ｒ−１）  …（１）
このｔがＴを超えなければ、ビデオバッファに蓄積されているビデオストリームを利用する方が次のＩフレームを待つよりもビデオ表示可能時刻は早くなる。そのためのｘの条件は、次式（２）で表される通りとなる。
【００５８】
ｘ＜（ｒ−１）・（Ｔ−ｙ）／ｒ  …（２）
ここで、ｒ、ｔはビデオデコーダ固有の定数、ｘ、Ｔは各ビデオバッファのストリーム蓄積状況から検出することができる。
【００５９】
このとき、本デジタルテレビ受信端末装置における最大待ち時間Ｗmax は、次式（３）で求められる。
【００６０】
Ｗmax ＝Ｔ／ｒ＋ｙ
【００６１】
本実施形態において、Ｔ＝７５フレーム期間、ｙ＝１フレーム期間、ｒ＝２であるので、上記の式に代入すると、ｘ＜３６．５のフレーム期間ならば、図２のようにビデオバッファに蓄積されたデータを利用して高速デコードを行い、そうでなければ図３のように次のＩフレームの受信を待つ。このとき、最大待ち時間は、Ｗmax ＝３８．５フレーム期間、すなわち約２．６秒であり。従来の構成での最大待ち時間は約５秒であったことから、大幅な待ち時間短縮が実現し、かつ従来の構成よりも長くなることはない。
【００６２】
以上説明したように、本実施形態では、複数の受信部１０２ａ−１０２ｃと、複数のバッファ１０７ａ−１０７ｃとを使用し、さらに選局前から保持されている視聴対象外のチャンネルのビデオストリームを利用してデコードすることで、選局後ビデオ表示を開始できるまでの時間を大幅に短縮することができる。すなわち選局後のチャンネルのストリーム受信状況に応じて、バッファのビデオストリームを利用するか、次のＩフレームを受信するまで待つかを判定し、適切なデコード方法を選択することで、最大待ち時間を短縮することができる。
【００６３】
なお、ビデオデコーダ１１１のフレームレートに対する最大デコード速度ｒが大きいほどより効果的であることは言うまでもない。
【００６４】
また、オーディオデータについては、オーディオデコーダ１１２のリセット後直ちに出力することが可能である。オーディオの出力については、ビデオ出力開始と同時にオーディオ出力を行う方法、選局要求に伴うオーディオデコーダ１１２のリセット直後からビデオ表示がない期間についてもオーディオ出力を行う方法があり、いずれの方法も実施可能である。
【００６５】
また、本実施形態では、３個の受信部を使用しているため、同時に受信できるチャンネル数は３である。このうち１チャンネルは切換前のチャンネル受信に必要であるため、切換後のビデオ表示開始までの時間を短縮できるのは、２チャンネルとなる。受信可能なチャンネル数だけの受信部およびバッファを備えれば、あらゆるチャンネル切換時の表示開始時間短縮を行うことが可能である。
【００６６】
（第２の実施形態）
次に、第２の実施形態に係るデジタルテレビ受信端末装置について説明するが、その機能ブロックは、図１に示す通りであるので、以下の説明では、図１を援用する。ただし、本実施形態に係るビデオデコーダ１１１の動作は、第１の実施形態のそれと相違する。
【００６７】
図４および図５は、本実施形態に係るビデオデコーダ１１１の動作について説明した図である。第１の実施形態では、ビデオデコーダ１１１のリセット後、ビデオストリームに含まれる再生時刻情報がＳＴＣ（実時刻）に遅れている期間、デコードのみをフレームレートより高速に行い、表示は行わないとしていた。これに対し、本実施形態では図４に示す通り、当該期間のビデオデータもビデオ表示部１１３に供給し、表示を行う。このときビデオ表示部１１３からは、ビデオデコーダ１１１のリセット後、しばらく早送り映像が出力された後、通常再生となる。言い換えると、選局要求を行ってからデコーダのリセット期間のわずかな時間のみ待機するだけでビデオデータの表示を行うことができる。
【００６８】
また、図５に示す通り、選局要求のタイミングが、前式（２）を満たすｘより少しだけ大きい場合（図５ではフレーム４０受信直後）、第１の実施形態では、次のＩフレームを受信するまでビデオデータ表示は行わないが、本実施形態では、Ｉフレームであるフレーム７５を受信するまでバッファリングされたビデオストリームを用いて高速表示する。
【００６９】
以上説明したように、本実施形態では、高速デコードされたビデオデータを、実時刻に追いつくか次のＩフレームを受信するまで間表示を行うことで、選局要求後わずかな待機時間でビデオ表示を開始することができる。早送り映像であっても、番組の内容はある程度認知することができるので、本実施形態では一刻も早く選局後のビデオデータを表示したいときに有効である。
【００７０】
（第３の実施形態）
次に、第３の実施形態に係るデジタルテレビ受信端末装置について説明するが、その機能ブロックは、図１に示す通りであるので、以下の説明では、図１を援用する。ただし、本実施形態に係る第２ビデオバッファ１０７ｂおよびビデオデコーダ１１１の動作は、第１の実施形態のそれと相違する。なお、第２ビデオバッファ１０７ａおよび１０７ｃの動作は、第２ビデオバッファ１０７ｂと同様である。
【００７１】
本実施形態における第２ビデオバッファ１０７ｂは、図６に示すとおり、Ｉフレームのみを保持する。ビデオデコーダ１１１は、チャンネルＢへの切換に伴うリセット完了後、第２ビデオバッファ１０７ｂに保持されているフレーム０をデコードし、ビデオ出力部１１３に供給する。その後次のＩフレームを（フレーム７５）を受信したとき、ビデオデコーダ１１１はフレーム７５以降受信したビデオストリームを逐次デコードし、ビデオ出力部１１３に供給する。
【００７２】
この場合、ビデオデコーダ１１１のリセット後は、フレーム０がスチル状態で表示され、フレーム７５受信後は、通常のビデオ表示となる。
【００７３】
以上説明したように、本実施形態では、視聴対象外のチャンネルについてはＩフレームのみを第２ビデオバッファ１０７ｂに保持し、選局要求後、次にＩフレーム受信するまで、第２ビデオバッファ１０７ｂに保持していた過去のＩフレームをスチル状態で表示を行うことで、選局要求後わずかな待機時間でビデオ表示を開始することができる。スチル映像であっても、番組の内容をある程度認知できる可能性があり、一刻も早く選局後のビデオデータを表示したいときに有効である。さらに本実施形態では、各第２ビデオバッファ１０７ａ−１０７ｃはＩフレームのみ保持すればよいので、バッファ容量の削減が可能である。
【００７４】
（第４の実施形態）
図７は、本発明の第４の実施形態に係るデジタルテレビ受信端末装置の機能的なブロック図である。図７において、デジタルテレビ受信端末装置は、第１の実施形態のそれと比較すると、録画制御部７０１、録画ストリームスイッチ７０２、ストリーム変換部７０３およびストリーム記録部７０４をさらに備える点で相違する。それ以外に、両デジタルテレビ受信端末装置の間に相違点は無い。それ故、図７において、図１の構成に相当するものには同一の参照符号を付けそれぞれの説明を省略する。
【００７５】
録画制御部７０１はユーザーから録画要求があったとき、録画要求されたチャンネルを受信制御部１０３に通知する。
【００７６】
受信制御部１０３は、録画制御部７０１から通知されたチャンネルが、第１受信部１０２ａ、第２受信部１０２ｂおよび第３受信部１０２ｃのいずれでも受信していないとき、視聴対象チャンネル以外のチャンネルを受信している受信部に対して、録画要求されたチャンネルを受信するように指示する。この後、受信制御部１０３は、受信中のチャンネルと対応する受信部の情報を録画制御部７０１に通知する。
【００７７】
録画ストリームスイッチ７０２には、各受信部が受信したトランスポートストリームが供給される。
【００７８】
録画制御部７０１は、録画ストリームスイッチ７０２に対し、録画要求されたチャンネルのトランスポートストリームを選択し、ストリーム変換部７０３に供給するよう指示する。ストリーム変換部７０３は、トランスポートストリームを録画記録するためにストリーム変換を行う。ストリーム変換は、単に多重化フォーマットを変換するのみの場合もあれば、ビデオストリームまたはオーディオストリームの符号化フォーマットの変換を伴う場合もある。
【００７９】
ストリーム変換部７０３により変換されたストリームは、ストリーム記録部７０４に供給され録画が行われる。
【００８０】
例えば、第１受信部１０２ａがチャンネルＡを、第２受信部１０２ｂがチャンネルＢを、第３受信部１０２ｃがチャンネルＣを受信し、チャンネルＡが視聴対象チャンネルであったときに、録画制御部７０１に対しチャンネルＤを録画するよう録画要求があった場合を考える。このとき、録画制御部７０１は録画要求のあったチャンネルＤを受信するよう受信制御部１０３に通知する。
【００８１】
受信制御部１０３は、視聴対象チャンネルではないチャンネルを受信している第２受信部１０２ｂ、第３受信部１０２ｃのいずれかに、チャンネルＤを受信するよう指示する。ここでは、第３受信部１０２ｃが、チャンネルＣに代わりチャンネルＤを受信するものとする。
【００８２】
受信制御部１０３は、第１受信部１０２ａがチャンネルＡを、第２受信部１０２ｂがチャンネルＢを、第３受信部１０２ｃがチャンネルＤを受信していることを録画制御部７０１に通知する。録画制御部７０１は、録画ストリームスイッチ７０２に対して、録画要求されたチャンネルＤを録画するよう指示する。
【００８３】
録画ストリームスイッチは、チャンネルＤを受信している第３受信部１０２ｃからトランスポートストリームの供給を受け、ストリーム変換部７０３に供給する。この結果、チャンネルＤのストリームが、ストリーム記録部７０４に記録され、録画が実行される。
通常テレビ番組の録画においては、現在視聴中のチャンネルと異なるチャンネルを同時に録画する裏番組録画のニーズが高い。裏番組録画を実現するためには、視聴対象チャンネルと録画要求チャンネルを受信する複数の受信部が必要である。
【００８４】
以上説明したように、本実施形態によれば、チャンネル切換後ビデオ表示開始までの待機時間を短縮するために実装した複数の受信部を用いることにより、裏番組録画機能をも実現でき、実装部品の有効活用が可能となる。
【００８５】
（第５の実施形態）
図８は、本発明の第５の実施形態に係るデジタルテレビ受信端末装置の機能的なブロック図である。図８において、デジタルテレビ受信端末装置は、第１の実施形態のそれと比較すると、第１ビデオバッファ１０７ａを備えず、第１ＴＳデコーダ１０５ａの出力がビデオスイッチ１０８に供給される点で異なる。それ以外に、両デジタルテレビ受信端末装置の間に相違点は無い。それ故、図８において、図１の構成に相当するものには同一の参照符号を付けそれぞれの説明を省略する。
【００８６】
以下、上記構成のデジタルテレビ受信端末装置の動作について、第１の実施形態と異なる点について説明する。
【００８７】
図８において、第１受信部１０２ａは常に、視聴対象チャンネルのトランスポートストリームを受信し、ビデオデコーダ１１１に供給する。例えば、チャンネル切換前の視聴対象チャンネルをチャンネルＡとすると、チャンネルＡのビデオストリームは、第１ＴＳデコーダ１０５ａからビデオスイッチ１０８を介して直接ビデオデコーダ１１１に供給される。
【００８８】
次にチャンネルＢに切換要求がなされたとき、受信制御部１０３は視聴対象チャンネルとしてチャンネルＢを入力切換管理部１０４に通知する。このとき実施形態１と同様に、ＰＣＲスイッチ１０６は、第２ＴＳデコーダ１０５ｂから取得されるチャンネルＢのＰＣＲをＳＴＣ生成部１１０に供給し、結果としてビデオデコーダ１１１、オーディオデコーダ１１２のリセットが実施される。また第２ビデオバッファ１０７ｂに蓄積されていたビデオストリームが、ビデオスイッチ１０８を介してビデオデコーダ１１１に供給され、再生時刻情報がＳＴＣに追いつくまで高速デコードを行う。
【００８９】
本実施形態においては、チャンネルＢへの切換要求後、所定のリセット期間の後、第１受信部１０２ａもチャンネルＢを受信し、第１ＴＳデコーダ１０５ａにトランスポートストリームを供給する。
【００９０】
チャンネルＢのビデオストリームの時刻情報がＳＴＣに追いついたとき、すなわち、第１ＴＳデコーダ１０５ａから出力されるビデオフレームと、第２ビデオバッファ１０７ｂから取得できる最も古いビデオフレームとが一致したとき、ビデオスイッチ１０８は第１ＴＳデコーダ１０５ａの出力をビデオデコーダ１１１に供給する。以後、チャンネルＢのビデオストリームは、第１受信部１０２ａおよび第１ＴＳデコーダ１０５ａから供給されることになる。
【００９１】
ビデオストリームの取得を第１ＴＳデコーダ１０５ａから切換えた後、第２受信部１０２ｂは、現在受信中のチャンネルＢ、チャンネルＣ以外のチャンネルを受信し、ビデオストリームは第２ビデオバッファ１０７ｂで、少なくともＩフレームを含むように保持される。
【００９２】
図９は、本実施形態における選局要求前後のビデオデコーダ１１１の動作について説明した図である。図９において、選局要求前は、第１受信部１０２ａで受信されているチャンネルＡのトランスポートストリームからビデオストリームが抽出され、デコードされ表示される。同時に第２受信部１０２ｂで受信中のチャンネルＢのトランスポートストリームからビデオストリームが抽出され、第２ビデオバッファ１０７ｂで保持される。
【００９３】
チャンネルＢへの切換え要求後、第１の実施形態と同様に、第２ビデオバッファ１０７ｂに蓄積されていたＩフレームを先頭とするビデオストリームが、ビデオデコーダ１１１に供給され、高速デコードを行う。また、第１受信部１０２ａは、所定のリセット期間後、切換後の視聴対象チャンネルであるチャンネルＢの受信を行う。
【００９４】
再生時刻とＳＴＣが一致したとき（図９ではフレーム５受信後）、ビデオスイッチ１０８は第１ＴＳデコーダ１０５ａの出力をビデオデコーダ１１１に供給し、以後次の選局要求がなされるまでチャンネルＢを表示し続ける。
【００９５】
ビデオスイッチ１０８が第１ＴＳデコーダ１０５ａの出力を選択した後、第２受信部１０２ｂは、現在受信中のチャンネルＢ、チャンネルＣ以外のチャンネルを受信し、第２ビデオバッファ１０７ｂにおいて少なくともＩフレームを含むように保持される。本実施形態ではチャンネルＡを受信するとしているが、他のチャンネルでもかまわない。
【００９６】
以上説明したように、本実施形態では、チャンネル切換直後を除き、視聴対象チャンネルを受信する受信部を固定することで、ビデオバッファを１個削減し、かつ実施形態１とまったく同様の効果を得ることが可能である。
【００９７】
（第６の実施形態）
図１０は、本発明の第６の実施形態に係るデジタルテレビ受信端末装置の機能的なブロック図である。図１０において、デジタルテレビ受信端末装置は、第１の実施形態のそれと比較すると、第１オーディオバッファ８０１ａ、第２オーディオバッファ８０１ｂおよび第３オーディオバッファ８０１ｃをさらに備えている点で相違する。それ以外に、両デジタルテレビ受信端末装置に相違点は無い。それ故、図１０において、図１の構成に相当するものには同一の参照符号を付けそれぞれの説明を省略する。
【００９８】
以下、上記構成のデジタルテレビ受信端末装置の動作について、第１の実施形態と異なる点について説明する。
【００９９】
第１の実施形態とは異なり、本実施形態では、各ビデオバッファ１０７ａ−１０７ｃに保持されているビデオストリームと同期するオーディオストリームは各オーディオバッファ８０１ａ−８０１ｃに保持される。
【０１００】
ここで、第１の実施形態と同様に、第１受信部１０２ａ、第２受信部１０２ｂおよび第３受信部１０２ｃでそれぞれチャンネルＡ、チャンネルＢおよびチャンネルＣを受信し、チャンネルＡが視聴対象チャンネルである場合を考える。
【０１０１】
視聴対象チャンネルであるチャンネルＡのビデオストリームは、第１ビデオバッファ１０７ａおよびビデオスイッチ１０８を介して、ビデオデコーダ１１１に供給されるものとする。このとき、チャンネルＡのオーディオストリームについても、第１オーディオバッファ８０１ａには保持されず、直接オーディオデコーダ１１２に供給される。
【０１０２】
一方、視聴対象チャンネル以外のチャンネルＢおよびチャンネルＣのビデオストリームは、第２ビデオバッファ１０７ｂおよび第３ビデオバッファ１０７ｃのそれぞれに、少なくともＩフレームを含むように保持される。このとき、各オーディオストリームもまた、第２オーディオバッファ８０１ｂおよび第３オーディオバッファ８０１ｃにそれぞれ保持される。各オーディオバッファには、少なくとも各チャンネルのビデオバッファに保持されている再生時刻情報を含むオーディオストリームであり、各ビデオバッファに保持されている再生時刻情報が対応するオーディオバッファに通知される。
【０１０３】
次にチャンネルＢに切換要求がなされたとき、第１の実施形態と同様に、ＰＣＲスイッチ１０６は、チャンネルＢのＰＣＲをＳＴＣ生成部１１０に供給し、ビデオデコーダ１１１およびオーディオデコーダ１１２のリセットが実施される。ビデオデコーダ１１１およびオーディオデコーダ１１２双方のリセットが完了したとき、第２ビデオバッファ１０７ｂは、保持しているＩフレームと、現在受信してバッファに保持したばかりのフレームとの再生時刻情報の差分値δをＳＴＣ生成部１１０に供給する。
【０１０４】
ＳＴＣ生成部１１０は、第２ＴＳデコーダ１０５ｂから供給されるチャンネルＢのＰＣＲから生成されるＳＴＣに、上記δを加えた値を本実施形態のＳＴＣとしてビデオデコーダ１１１およびオーディオデコーダ１１２に供給する。このとき、ビデオデコーダ１１１のリセット直後に供給されるＳＴＣと、第２ビデオバッファ１０７ｂに保持されているＩフレームの再生時刻情報とが一致するので、ビデオデコーダ１１１は、直ちに第２ビデオバッファ１０７ｂに保持されているＩフレームをデコードし、ビデオ出力部１１３に供給する。
【０１０５】
また、第２オーディオバッファ８０１ｂには、上記Ｉフレームと同じ再生時刻情報を持つオーディオストリームが保持されているので、オーディオデコーダ１１２は当該オーディオストリームをデコードし、ビデオと同期させてオーディオ出力部１１４に供給する。
【０１０６】
ここで、図１１は、本実施形態のビデオデコーダ１１１の動作について説明した図である。第１の実施形態と同様に、フレーム１を受信直後に、チャンネルＢへの選局要求があったとする。選局要求後、ビデオデコーダ１１１およびオーディオデコーダ１１２とも、１フレーム期間でリセットが完了するものとする。両デコーダのリセット完了時、フレーム２が受信され、第２ビデオバッファ１０７ｂに蓄積される。
【０１０７】
このとき、第２ビデオバッファ１０７ｂに保持されているＩフレームであるフレーム０と、フレーム２との再生時刻情報との差分値δは３フレーム期間になる。フレームレートを毎秒１５フレームとすると、δ＝０．２秒になる。
【０１０８】
ビデオデコーダ１１１は、第２ビデオバッファ１０７ｂに保持されているビデオストリームを、実時刻よりδだけ遅延したタイミングを保持しながら順次デコードし表示する。同様にオーディオデコーダ１１２は、第２オーディオバッファ８０１ｂに保持されているオーディオストリームを、実時刻よりδだけ遅延したタイミングを保持しながら順次デコードし再生する。
【０１０９】
上記差分値δは、Ｉフレーム間隔をＴ、デコーダリセットに要する時間をｙとすると、Ｔ＋ｙ未満であり、最大でも約５秒程度の遅延となる。この程度の遅延であれば、テレビ視聴上大きな問題になることはない。
【０１１０】
以上説明したように、本実施形態では、各チャンネルのＩフレーム受信タイミングと選局要求タイミングとで定まる時間差δだけ、再生時刻情報より遅延させることで、選局要求後、わずかなリセット時間待機するのみで、チャンネル切換後のビデオデータを表示することが可能である。
【０１１１】
（第７の実施形態）
図１２は、本発明の第７の実施形態に係るデジタルテレビ受信端末装置の機能的なブロック図である。図１２において、デジタルテレビ受信端末装置は、第１の実施形態のそれと比較すると、チャンネルリストを管理するチャンネルリスト管理部１００１をさらに備える点で相違する。それ以外に、両デジタルテレビ受信端末装置の間に相違点は無い。それ故、図１２において、図１の構成に相当するものには同一の参照符号を付け、それぞれの説明を省略する。
【０１１２】
チャンネルリストとは、図１３に示すように、受信可能なチャンネル番号（特定の周波数に対応）とチャンネル名（局名）とを対応させた表である。据え置き型の受信端末装置では、デジタル放送の受信エリアに対応したチャンネルリストがあらかじめ端末に保持されていて、受信エリアを指定することでチャンネルリストを特定することが一般的である。一方、携帯型の受信端末装置の場合は、電源起動時などにいずれか１つの受信部を用いて受信可能なチャンネルをスキャンし、その結果から都度チャンネルリストを生成する方法がある。
【０１１３】
以下、上記構成のデジタルテレビ受信端末装置の動作について、第１の実施形態と異なる点について説明する。
【０１１４】
図１２において、チャンネルリスト管理部１００１には、図１３のようなチャンネルリストが生成済みであるとする。受信制御部１０３は、視聴対象のチャンネル、およびその隣接チャンネルを各受信部で受信するように制御する。その後、選局要求により視聴対象チャンネルが隣接チャンネルに移行したとき、受信制御部１０３はチャンネルリスト管理部１００１を参照して常にチャンネル切換後の視聴対象チャンネルとその隣接チャンネルを受信するように制御する。
【０１１５】
以下、図１４を用いて、本実施形態において各受信部１０２ａ−１０２ｃが受信するチャンネルの変遷および関連する動作について説明する。
【０１１６】
いまチャンネル番号４に相当するチャンネルＢが視聴対象チャンネルであるとすると、受信制御部１０３は、第１受信部１０２ａに対しチャンネルＢを受信するように指示する。さらに、受信制御部１０３は、第２受信部１０２ｂおよび第３受信部１０２ｃに対し、チャンネルＢの隣接チャンネルであるチャンネルＡおよびチャンネルＣをそれぞれ受信するよう指示する。このとき、第１受信部１０２ａで受信したチャンネルＢについては、ビデオ出力部１１３およびオーディオ出力部１１４からそれぞれビデオおよびオーディオが出力される。また、第２受信部１０２ｂおよび第３受信部１０２ｃで受信したチャンネルＡおよびチャンネルＣのビデオストリームは、第２ビデオバッファ１０７ｂおよび第３ビデオバッファ１０７ｃでそれぞれ保持される。
【０１１７】
時刻Ｔ１で、受信制御部１０３にチャンネルＢの隣接チャンネルであるチャンネルＡへの選局要求があったとき、第１の実施形態と同様に、第２ビデオバッファ１０７ｂよりチャンネルＡのビデオストリームがビデオデコーダ１１１に供給され、第２ＴＳデコーダ１０５ｂよりチャンネルＡのオーディオストリームがオーディオデコーダに供給され、結果としてチャンネルＡについてビデオおよびオーディオがビデオ出力部１１３およびオーディオ出力部１１４より出力される。
【０１１８】
チャンネルＡへの切換完了後、第１受信部１０２ａは引き続きチャンネルＢを受信し、第１の実施形態と同様にビデオストリームは第１ビデオバッファ１０７ａに保持される。一方、第３受信部１０２ｃは、チャンネルＢの受信をやめ、新たにチャンネルＦの受信を開始する。このようにすることで、時刻Ｔ１以後、視聴対象チャンネルであるチャンネルＡとこれに隣接するチャンネルＢ、チャンネルＦを受信することが可能である。
【０１１９】
次に時刻Ｔ２で、チャンネルＦへの選局要求があったとき、第３受信部１０２ｃは受信中のチャンネルＦを出力し、第２受信部１０２ｂは引き続きチャンネルＡを受信し、第１受信部１０２ａはチャンネルＥを受信する。以下同様に時刻Ｔ３でチャンネルＥへの選局要求があったときは、第２受信部１０２ｂの受信チャンネルをチャンネルＡからチャンネルＤに変更し、時刻Ｔ４で再びチャンネルＦへの選局要求があったときは、第２受信部１０２ｂの受信チャンネルをチャンネルＤからチャンネルＡに変更する。
【０１２０】
通常、据え置き型の受信端末装置においては、図１５Ａに示すリモコンボタンにより、任意の受信可能なチャンネルへの選局が可能である。一方、携帯型の受信端末装置では、機器サイズの制約から図１５Ａのようなリモコンボタンを実装することは困難であるため、図１５Ｂに示すように、例えば上下方向のような２方向の矢印キーを用いて、チャンネル番号に従って逐次的に選局する方法が考えられる。
【０１２１】
携帯型の受信端末装置のように２方向矢印キーを用いて選局を行う場合、３個の受信部を用いれば、常に本実施形態による効果を得ることができる。
【０１２２】
なお、チャンネルリストは、図１３のような一次元的なチャンネルリストのほかに、図１６Ａのような二次元的なチャンネルリストも考えられる。図１６Ａにおいて、チャンネルＥの隣接チャンネルは、チャンネルＢ、Ｄ、Ｆ、Ｈである。図１６Ａのようなチャンネルリストの場合、図１６Ｂのように、例えば上下左右方向のような４方向の矢印キーを選局に使用し、かつ受信部、ＴＳデコーダおよびビデオバッファを５組用いれば、隣接する４個のチャンネルに対する選局要求に対し、本実施形態の効果を得ることができる。
【０１２３】
なお、これまでに説明した各実施形態において、複数の実施形態の構成要素およびデコーダの動作を組み合わせて実現できる実施形態についても、同様の効果を得ることができる。
【０１２４】
また、各実施形態において、視聴対象チャンネルおよび録画対象チャンネルは、ユーザーなどによる外部からの入力であるとして説明した。これに加え、昨今ではトランスポートストリーム中に含まれる番組情報等を元に、ユーザーが嗜好するチャンネルを自動判別して選局する技術もあり、このような選局方法であっても、各実施形態に係るデジタルテレビ受信端末装置は有効である。
【０１２５】
また、各実施形態において、ビデオおよびオーディオの出力、ならびにストリーム記録は、おのおの１つのチャンネルの場合について説明したが、複数のビデオデコーダおよびオーディオデコーダを搭載すれば複数のチャンネルの同時出力が可能であり、また複数のストリーム変換部およびストリーム記録部を搭載すれば複数のチャンネルの同時記録が可能である。
【産業上の利用可能性】
【０１２６】
本発明にかかるデジタルテレビ受信端末装置は、ビデオストリームの特性上、特定のフレーム（Ｉフレーム）からでないと再生を開始することができないデジタルテレビ放送を受信するテレビ受像端末における選局動作において有用である。また本発明は、Ｉフレームの間隔が長い地上波１セグ放送において、特に有効である。
【図面の簡単な説明】
【０１２７】
【図１】本発明の第１の実施形態に係るデジタルテレビ受信端末装置の機能的なブロック図
【図２】図１に示すビデオデコーダ１１１の選局要求後の動作について説明した第１の図
【図３】図１に示すビデオデコーダ１１１の選局要求後の動作について説明した第２の図
【図４】第２の実施形態に係るビデオデコーダ１１１の動作について説明した第１の図
【図５】第２の実施形態に係るビデオデコーダ１１１の動作について説明した第２の図
【図６】第３の実施形態に係るビデオバッファ１０７ｂおよびビデオデコーダ１１１の動作について説明した図
【図７】本発明の第４の実施形態に係るデジタルテレビ受信端末装置の機能的なブロック図
【図８】本発明の第５の実施形態に係るデジタルテレビ受信端末装置の機能的なブロック図
【図９】図８に示すビデオデコーダ１１１の選局要求前後の動作について説明した図
【図１０】本発明の第６の実施形態に係るデジタルテレビ受信端末装置の機能的なブロック図
【図１１】図１０に示すビデオデコーダ１１１の動作について説明した図
【図１２】本発明の第７の実施形態に係るデジタルテレビ受信端末装置の機能的なブロック図
【図１３】図１２に示すチャンネルリスト管理部１００１により管理されるチャンネルリストの構造を例示する図
【図１４】図１２に示す各受信部１０２ａ−１０２ｃが受信するチャンネルの変遷および関連する動作について説明した図
【図１５Ａ】図１２に示すデジタルテレビ受信端末装置が据え置き型の場合におけるリモコンボタンの一例を示す模式図
【図１５Ｂ】図１２に示すデジタルテレビ受信端末装置が携帯型の場合における矢印キーの一例を示す模式図
【図１６Ａ】図１３に示すチャンネルリストの代替例である二次元的チャンネルリストの構造を例示する図
【図１６Ｂ】図１６Ａに示す携帯受信端末における上下左右キーの一例について説明した図
【図１７】従来までの一般的なデジタル放送受信端末の構成について説明したブロック図
【図１８】デジタル放送における一般的なビデオストリームについて説明した図
【符号の説明】
【０１２８】
１０１  アンテナ
１０２ａ  第１受信部
１０２ｂ  第２受信部
１０２ｃ  第３受信部
１０３  受信制御部
１０４  入力換管理部
１０５ａ  第１ＴＳデコーダ
１０５ｂ  第２ＴＳデコーダ
１０５ｃ  第３ＴＳデコーダ
１０６  ＰＣＲスイッチ、
１０７ａ  第１ビデオバッファ
１０７ｂ  第２ビデオバッファ
１０７ｃ  第３ビデオバッファ
１０８  ビデオスイッチ
１０９  オーディオスイッチ
１１０  ＳＴＣ生成部
１１１  ビデオデコーダ
１１２  オーディオデコーダ
１１３  ビデオ出力部
１１４  オーディオ出力部
７０１  録画制御部
７０２  録画ストリームスイッチ
７０３  ストリーム変換部
７０４  ストリーム記録部
８０１ａ  第１オーディオバッファ
８０１ｂ  第２オーディオバッファ
８０１ｃ  第３オーディオバッファ
１００１  チャンネルリスト管理部
１５０１  アンテナ
１５０２  受信部
１５０３  受信制御部
１５０４  ＴＳデコーダ
１５０５  ＳＴＣ生成部
１５０６  ビデオデコーダ
１５０７  オーディオデコーダ
１５０８  ビデオ出力部
１５０９  オーディオ出力部
【図１】
2006345169.tif 000003
【図２】
2006345169.tif 000004
【図３】
2006345169.tif 000005
【図４】
2006345169.tif 000006
【図５】
2006345169.tif 000007
【図６】
2006345169.tif 000008
【図７】
2006345169.tif 000009
【図８】
2006345169.tif 000010
【図９】
2006345169.tif 000011
【図１０】
2006345169.tif 000012
【図１１】
2006345169.tif 000013
【図１２】
2006345169.tif 000014
【図１３】
2006345169.tif 000015
【図１４】
2006345169.tif 000016
【図１５Ａ】
2006345169.tif 000017
【図１５Ｂ】
2006345169.tif 000018
【図１６Ａ】
2006345169.tif 000019
【図１６Ｂ】
2006345169.tif 000020
【図１７】
2006345169.tif 000021
【図１８】
2006345169.tif 000022